(57)【特許請求の範囲】
【請求項１】
建屋の天井部に設置され、熱交換器及びファンを収容したユニット本体に、吹出ダクトが延設されるとともに電装箱が設けられたビルトイン型空気調和機において、
上記電装箱は、開口を備えるとともに、この開口を跨ぐ対向位置にピンを有し、上記ピンを介し上記ユニット本体に所定角度Ａの範囲で回転可能に枢支され、上記開口が上記ユニット本体の内側または外側を向く位置で、このユニット本体に固定して取付け可能に構成されたことを特徴とするビルトイン型空気調和機。
【請求項２】
建屋の天井部に設置され、熱交換器及びファンを収容したユニット本体に、吹出ダクトが延設されるとともに電装箱が設けられたビルトイン型空気調和機において、
上記電装箱は三角柱形状であり、一側面に開口を備え、相互に対向する天面及び底面にピンを有し、上記ピンを介し上記ユニット本体に所定角度Ｂの範囲で回転可能に枢支され、上記開口が上記ユニット本体の内側または外側を向く位置で、このユニット本体に固定して取付け可能に構成されたことを特徴とするビルトイン型空気調和機。
【請求項３】
上記電装箱の開口を閉鎖する蓋は、上記電装箱に対し相互に直交するいずれか一方向、またはこれらの両方向に対し傾斜する方向から挿入される締結手段により、上記電装箱に装着可能に構成されたことを特徴とする請求項１または２に記載のビルトイン型空気調和機。
【請求項４】
上記電装箱には、開口を挟む両側面、または上記開口に隣接する一側面及び上記開口に対向する背面に、それぞれ配線取出口が形成されたことを特徴とする請求項１乃至３のいずれかに記載のビルトイン型空気調和機。
【発明の詳細な説明】
【０００１】
【発明の属する技術分野】
本発明は、建屋の天井部に設置され、内部に熱交換器およびファンを備え、熱交換された空気を吹き出しダクトを介して室内の適宜位置へ導き吹き出させるビルトイン型空気調和機に関する。
【０００２】
【従来の技術】
一般に、建屋の天井空間に設置され、室内熱交換器およびファンを収容したユニット本体に、吹出ダクトが延設されると共に電装箱が設けられたビルトイン型空気調和機が知られている。このようなビルトイン型空気調和機では、ユニット本体にて熱交換された空気を、吹出ダクトを介して室内の適宜位置へ導き室内に吹き出すことができるので、室内の美観を損なうことなく最適な空気調和を実現できる。
【０００３】
従来、この種のビルトイン型空気調和機には、図１２に示すように、パネル仕様ビルトイン型空気調和機１０とダクト仕様ビルトイン型空気調和機２０とがある。パネル仕様ビルトイン型空気調和機１０（図１２（Ａ））は、ユニット本体１１の下面に設けられて天井板に設置される天井パネル１２から室内空気を吸い込むものであり、また、電装箱がユニット本体１１内部に配設されている。従って、このパネル仕様ビルトイン型空気調和機１０の電気工事またはメンテナンスは、作業者が天井パネル１２の吸込板１３を開き、天井パネル１２から手を挿入することにより、上記電装箱に対して実施される。尚、図１２（Ａ）中の符号１４は、上記電装箱に接続される外部配線の配線取入口である。
【０００４】
一方、ダクト仕様ビルトイン型空気調和機２０（図１２（Ｂ））は、ユニット本体２１の背面に吸込ダクト２２を設けて、この吸込ダクト２２を介し室内空気を吸い込むものであり、電装箱２３がユニット本体２１の側板の外面に設置されている。従って、このダクト仕様ビルトイン型空気調和機２０の電気工事またはメンテナンスは、建屋の天井板に開設された点検口（図示せず）から作業者が手を挿入することにより、上記電装箱に対して実施される。尚、図１２（Ｂ）中の符号２４は、電装箱２３に接続される外部配線の配線取入口である。
【０００５】
【発明が解決しようとする課題】
ところが、上述のパネル仕様ビルトイン型空気調和機１０及びダクト仕様ビルトイン型空気調和機２０では、電装箱の取付位置や空気吸込方向の相違などによって関連部品（特に電装箱）がそれぞれ別部品となり、これらに共通性がない。この為、据付現場で関連部品を交換などして、パネル仕様ビルトイン型空気調和機１０をダクト仕様ビルトイン型空気調和機２０に、またはダクト仕様ビルトイン型空気調和機２０をパネル仕様ビルトイン型空気調和機１０に相互に仕様変更することは極めて困難である。
【０００６】
本発明の目的は、上述の事情を考慮してなされたものであり、パネル仕様とダクト仕様のビルトイン型空気調和機における電装箱を共通部品化して、両空気調和機の共用化を実現できるビルトイン型空気調和機を提供することにある。
【０００７】
【課題を解決するための手段】
請求項１に記載の発明は、建屋の天井部に設置され、熱交換器及びファンを収容したユニット本体に、吹出ダクトが延設されるとともに電装箱が設けられたビルトイン型空気調和機において、上記電装箱は、開口を備えるとともに、この開口を跨ぐ対向位置にピンを有し、上記ピンを介し上記ユニット本体に所定角度Ａの範囲で回転可能に枢支され、上記開口が上記ユニット本体の内側または外側を向く位置で、このユニット本体に固定して取付け可能に構成されたことを特徴とするものである。
【０００９】
請求項２に記載の発明は、建屋の天井部に設置され、熱交換器及びファンを収容したユニット本体に、吹出ダクトが延設されるとともに電装箱が設けられたビルトイン型空気調和機において、上記電装箱は三角柱形状であり、一側面に開口を備え、相互に対向する天面及び底面にピンを有し、上記ピンを介し上記ユニット本体に所定角度Ｂの範囲で回転可能に枢支され、上記開口が上記ユニット本体の内側または外側を向く位置で、このユニット本体に固定して取付け可能に構成されたことを特徴とするものである。
【００１０】
請求項３に記載の発明は、請求項１または２に記載の発明において、上記電装箱の開口を閉鎖する蓋は、上記電装箱に対し相互に直交するいずれか一方向、またはこれらの両方向に対し傾斜する方向から挿入される締結手段により、上記電装箱に装着可能に構成されたことを特徴とするものである。
【００１１】
請求項４に記載の発明は、請求項１乃至３のいずれかに記載の発明において、上記電装箱には、開口を挟む両側面、または上記開口に隣接する一側面及び上記開口に対向する背面に、それぞれ配線取出口が形成されたことを特徴とするものである。
【００１４】
請求項１に記載の発明には、次の作用がある。
【００１５】
電装箱は、開口を備えるとともに、この開口を跨ぐ対向位置にピンを有し、上記ピンを介し上記ユニット本体に所定角度Ａの範囲で回転可能に枢支され、上記開口が上記ユニット本体の内側または外側を向く位置で、このユニット本体に固定して取付け可能に構成されたことから、パネル仕様の場合には、開口がユニット本体の内側に向くように電装箱を回転させて、この電装箱をユニット本体に固定して取り付け、ダクト仕様の場合には、開口がユニット本体の外側に向くように電装箱を回転させて、この電装箱をユニット本体に固定して取り付ければよいので、パネル仕様とダクト仕様とで電装箱を共通部品化でき、パネル仕様とダクト仕様の両ビルトイン型空気調和機の共用化を実現できる。
【００１６】
請求項２に記載の発明には、次の作用がある。
【００１７】
電装箱は三角柱形状であり、一側面に開口を備え、相互に対向する天面及び底面にピンを有し、上記ピンを介し上記ユニット本体に所定角度Ｂの範囲で回転可能に枢支され、上記開口が上記ユニット本体の内側または外側を向く位置で、このユニット本体に固定して取付け可能に構成されたことから、パネル仕様の場合には、開口がユニット本体の内側に向くように電装箱を回転させて、この電装箱をユニット本体に固定して取り付け、ダクト仕様の場合には、開口がユニット本体の外側に向くように電装箱を回転させて、この電装箱をユニット本体に固定して取り付ければよいので、パネル仕様とダクト仕様とで電装箱を共通部品化でき、パネル仕様とダクト仕様の両ビルトイン型空気調和機の共用化を実現できる。
【００１８】
請求項３に記載の発明には、次の作用がある。
【００１９】
電装箱の開口を閉鎖する蓋は、電装箱に対し相互に直交するいずれか一方向、またはこれらの両方向に対し傾斜する方向から挿入される締結手段により、電装箱に装着可能に構成されたことから、締結手段を動作させる工具を最も操作させ易い方向から、締結手段を電装箱及び蓋に挿入することができるので、蓋の着脱を容易化できる。
【００２０】
請求項４に記載の発明には、次の作用がある。
【００２１】
電装箱において、開口を挟む両側面にそれぞれ設けられた配線取出口のうち、一方に内部配線を、他方に外部配線をそれぞれ挿通することにより、また、開口に隣接する一側面と開口に対向する背面にそれぞれ設けられた配線取出口のうち、一方に内部配線を、他方に外部配線をそれぞれ挿通することにより、パネル仕様とダクト仕様の両ビルトイン型空気調和機に対する電装箱の共通部品化を、より一層確実なものとすることができる。
【００２２】
【発明の実施の形態】
以下、本発明の実施の形態を、図面に基づき説明する。
【００２３】
［Ａ］第一の実施の形態（図１〜図７）
図１は、本発明に係るビルトイン型空気調和機の第一の実施の形態を示し、（Ａ）がパネル仕様ビルトイン型空気調和機、（Ｂ）がダクト仕様ビルトイン型空気調和機をそれぞれ示す側面図である。
【００２４】
図１（Ａ）に示すパネル仕様ビルトイン型空気調和機３０と、図１（Ｂ）に示すダクト仕様ビルトイン型空気調和機４０は、共に、建屋３１の天井３２と天井板３３との間の天井空間３４内に懸吊して配設され、ユニット本体３５、吹出ダクト３６及び運転制御用の電装箱３７を有して構成される。
【００２５】
上記ユニット本体３５は、互いに対向配置されて四角枠形状に設けられた４枚の側板３８の上縁部に天板３９が、下縁部の一部に底板４６がそれぞれ固定されて構成される。これらの側板３８、天板３９及び底板４６の内外表面に断熱材が貼着されている。
【００２６】
このユニット本体３５の側板３８には吊り金具４１が固着され、この吊り金具４１が、建屋３１の天井３２から垂下された吊りボルト４２に止着されて、パネル仕様ビルトイン型空気調和機３０、ダクト仕様ビルトイン型空気調和機４０が建屋３１の天井３２に懸吊可能に構成される。
【００２７】
このユニット本体３５の内部に、図示しない室内熱交換器、ファンおよびファンモータが収容される。上記室内熱交換器は、図２及び図４に示す冷媒配管接続口４３に接続された冷媒配管（液管）、及び冷媒配管接続口４４に接続された冷媒配管（ガス管）を用いて、図示しない室外機に接続される。ユニット本体３５内の室内熱交換器は、室外機から導かれる冷媒の蒸発または凝縮により、後述の如くユニット本体３５内に吸い込まれた空気を冷却し又は暖房する。
【００２８】
尚、図２、図４中の符号４５Ａはドレン配管接続口を示し、符号４５Ｂはドレン排出口を示す。
【００２９】
上記吹出ダクト３６は、通常、複数本がユニット本体３５から延設されている。吹出ダクト３６のそれぞれは、ユニット本体３５の一つの側板３８に一体に設置された吹出口４７に一端が嵌装され、他端に吹出グリル４８が取付けられる。この吹出グリル４８は、天井板３３の適宜位置に設置される。ユニット本体３５内のファンの回転により、後述の如くユニット本体３５内に室内空気が吸い込まれ、室内熱交換器により熱交換された空気が、吹出ダクト３６を経て吹出グリル４８から室内へ吹き出される。
【００３０】
ところで、図１（Ａ）及び図２に示すパネル仕様ビルトイン型空気調和機３０は、ユニット本体３５の下部開口に天井パネル４９が嵌装されたものである。この天井パネル４９は、中央位置に吸込板５０を備え、この吸込板５０との隙間から室内空気を吸い込み、ユニット本体３５内へ導入する。
【００３１】
また、図１（Ｂ）及び図４に示すダクト仕様ビルトイン型空気調和機４０は、ユニット本体３５の一つの側板３８で、吹出口４７が設置された側板３８に対向する側板（すなわちダクト仕様ビルトイン型空気調和機４０の背面板３８Ｂ）に、図示しない吸込開口が形成され、この側板３８（背面板３８Ｂ）に、例えばフィルタボックス５１を介して、通常一本の吸込ダクト５２が連接されたものである。吸込ダクト５２の一端部に吸込グリル５３が嵌装され、この吸込グリル５３が、天井板３３の適宜位置に設置される。この吸込グリル５３から室内空気が取り込まれ、吸込ダクト５２を経てユニット本体３５内へ吸い込まれる。尚、ユニット本体３５の下部開口は、本体蓋７７により閉鎖される。
【００３２】
さて、上記電装箱３７は、図１に示すように、ユニット本体３５の側板３８のうち、吹出ダクト３６または吸込ダクト５２が配設されていない側板３８Ａに取付けられる。この電装箱３７は、図３及び図５に示すように箱体５４及び電装箱蓋６５を有し、ほぼ直方体形状の箱体５４の内部に、制御基板（不図示）及び端子板５５を備えて構成される。ユニット本体３５内に設置されたファンモータ、ドレンポンプ、フロートスイッチ、電子制御弁、各種センサなどからの配線（内部配線５６と称する）が、上記制御基板または端子板５５に接続される。また、電源配線、ユニット間配線またはリモコン配線などの外部配線５７が端子板５５に接続される。
【００３３】
電装箱３７の箱体５４には、一側部に開口５８が形成される。また、この箱体５４には、開口５８に隣接する一側面５９に第一配線取入口６１が、開口５８に対向する一側面（以下背面６０と称する）に第二配線取入口６２がそれぞれ形成される。更に、箱体５４には、開口５８に隣接する両側面（一側面５９と、この一側面５９に対向する他側面６３）に、外方へ吐出して取付フランジ６４が設けられている。
【００３４】
箱体５４の上記開口５８は、電装箱蓋６５により閉鎖される。つまり、箱体５４には、開口５８を臨む図３及び図５の上縁に係止フック６６が形成され、下部に取付座６７が形成されている。電装箱蓋６５は、その上縁部が箱体５４の係止フック６６に係止されると共に、下縁部が、締結手段としての蓋取付ビス６８を用いて箱体５４の取付座６７に締め付けられて、箱体５４に固定して取付けられる。
【００３５】
上述のように構成された電装箱３７は、ユニット本体３５の側板３８のうち、吹出ダクト３６または吸込ダクト５２が配設されていない側板３８Ａに形成された取付開口６９に一部を挿通させ、ユニット本体３５に反転取付け可能に設けられる。つまり、電装箱３７をパネル仕様ビルトイン型空気調和機３０に取り付ける場合には、図２及び図３に示すように、電装箱３７の開口５８をユニット本体３５の内側に向け、電装箱３７における開口５８側の一部をユニット本体３５の取付開口６９に挿通させ、電装箱３７の取付フランジ６４をユニット本体３５の側板３８Ａの外面に当接し、これらの取付フランジ６４と側板３８Ａとを箱取付ビス７０により締結することにより、電装箱３７がユニット本体３５に固定して取り付けられる。
【００３６】
また、電装箱３７をダクト仕様ビルトイン型空気調和機４０に取付ける場合には、図４及び図５に示すように、電装箱３７を反転して電装箱３７の開口５８をユニット本体３５の外側に向け、電装箱３７における背面６０側の一部をユニット本体３５の取付開口６９に挿通させ、電装箱３７の取付フランジ６４をユニット本体３５の側板３８Ａの外面に当接し、これらの取付フランジ６４と側板３８Ａとを箱取付ビス７０により締結することによって、電装箱３７がユニット本体３５に固定して取り付けられる。
【００３７】
電装箱３７は、工場からの出荷時に、通常、開口５８をユニット本体３５の内側に向けて固定して取付けられ、据付現場で、パネル仕様ビルトイン型空気調和機３０をダクト仕様ビルトイン型空気調和機４０に仕様変更する場合に、開口５８をユニット本体３５の外側に向くように付け換えられる。
【００３８】
電装箱３７は、逆に、工場出荷時にダクト仕様ビルトイン型空気調和機４０の態様で設置され、据付現場で必要に応じて、パネル仕様ビルトイン型空気調和機３０の態様に仕様変更してもよい。
【００３９】
パネル仕様ビルトイン型空気調和機３０においては、図２及び図３に示すように、前記内部配線５６は、第一配線取入口６１を挿通して電装箱３７内に取り込まれ、前記外部配線５７は、第二配線取入口６２を挿通して電装箱３７内に取り込まれる。また、ダクト仕様ビルトイン型空気調和機４０においては、図４及び図５に示すように、内部配線５６は第二配線取入口６２を挿通して電装箱３７内に取り込まれ、外部配線５７は第一配線取入口６１を挿通して電装箱３７内に取り込まれる。
【００４０】
図２及び図４に示すように、パネル仕様ビルトイン型空気調和機３０またはダクト仕様ビルトイン型空気調和機４０の電気工事またはメンテナンスにおいては、パネル仕様ビルトイン型空気調和機３０の場合、作業者は、天井パネル４９の吸込板５０を開いてユニット本体３５内に手を挿入し、電装箱蓋６５を取り外すことにより、電装箱３７内の配線工事などを実施する。また、ダクト仕様ビルトイン型空気調和機４０の場合には、作業者は、先ず、図１（Ｂ）に示す建屋３１の天井板３３に開設された点検口７１を閉鎖する点検口蓋７２を取り外し、この点検口７１から天井空間３４内に手を挿入し、電装箱蓋６５を取り外すことにより、電装箱３７内の配線工事などを実施する。
【００４１】
従って、上記実施の形態によれば、次の効果（１）〜（３）を奏する。
【００４２】
（１）電装箱３７は、開口５８を備えると共に、ユニット本体３５に反転取付け可能に設けられ、開口５８がユニット本体３５の内側または外側を向く位置で、このユニット本体３５に固定して取付け可能に構成されたことから、パネル仕様ビルトイン型空気調和機３０の場合には、開口５８をユニット本体３５の内側に向けて、このユニット本体３５に電装箱３７を箱取付ビス７０を用いて固定して取付け、ダクト仕様ビルトイン型空気調和機４０の場合には、開口５８をユニット本体３５の外側に向けて、このユニット本体３５に電装箱３７を箱取付ビス７０を用いて固定して取付ければよいので、パネル仕様ビルトイン型空気調和機３０とダクト仕様ビルトイン型空気調和機４０とで電装箱３７を共通部品化でき、パネル仕様ビルトイン型空気調和機３０とダクト仕様ビルトイン型空気調和機４０の共用化を実現できる。この結果、ビルトイン型空気調和機の機種数を削減して、在庫管理を容易化できる。
【００４３】
（２）電装箱３７がパネル仕様ビルトイン型空気調和機３０とダクト仕様ビルトイン型空気調和機４０において共通部品化されたことから、電装箱３７の開口５８をユニット本体３５の内側に向けてパネル仕様ビルトイン型空気調和機３０として工場出荷し、据付現場でダクト仕様ビルトイン型空気調和機４０としたいときには、電装箱３７の開口５８をユニット本体３５の外側に向くよう据付現場で変更すれば、ダクト仕様ビルトイン型空気調和機４０に仕様変更することができる。
【００４４】
（３）電装箱３７において、開口５８に隣接する一側面５９と、開口５８に対向する背面６０にそれぞれ設けられた第一配線取入口６１、第二配線取入口６２のうち、一方に内部配線５６を、他方に外部配線５７をそれぞれ挿通することにより、パネル仕様ビルトイン型空気調和機３０とダクト仕様ビルトイン型空気調和機４０に対する電装箱３７の共通部品化を、より一層確実なものとすることができる。
【００４５】
図６及び図７は、上記第一の実施の形態の変形例を示す。この変形例では、電装箱３７の箱体５４における一側面５９及び他側面６３の開口５８側下部には、相互に直交する鉛直縁７３Ａと水平縁７３Ｂとの間に、これらの鉛直縁７３Ａ及び水平縁７３Ｂに対し斜めに切り欠かれた傾斜縁７３Ｃが形成される。そして、これらの一側面５９及び他側面６３には、鉛直縁７３Ａの下部、水平縁７３Ｂ、傾斜縁７３Ｃにそれぞれ対応する位置に、取付座７６Ａ、７６Ｂ、７６Ｃがそれぞれ一体に突設されている。
【００４６】
また、電装箱蓋６５には、箱体５４の傾斜縁７３Ｃに対応して、直交する正面部７４Ａと底面部７４Ｂとの間に、これらの正面部７４Ａ及び底面部７４Ｂに対し傾斜する傾斜面部７４Ｃが一体に成形される。これらの正面部７４Ａの下部、底面部７４Ｂ、傾斜面部７４Ｃのそれぞれにねじ穴７５Ａ、７５Ｂ、７５Ｃが開設される。
【００４７】
電装箱蓋６５を電装箱３７の箱体５４に取付けるに際しては、先ず、電装箱蓋６５の正面部７４Ａ、底面部７４Ｂ、傾斜面部７４Ｃを箱体５４の一側面５９及び他側面６３における鉛直縁７３Ａ、水平縁７３Ｂ、傾斜縁７３Ｃにそれぞれ当接する。この後、蓋取付ビス６８を回転させるドライバなどの工具が操作し易くなるように、ねじ穴７５Ａ及び取付座７６Ａと、ねじ穴７５Ｂ及び取付座７６Ｂと、ねじ穴７５Ｃ及び取付座７６Ｃとのいずれか一組に対しそれぞれ直交する方向Ａ、Ｂ、Ｃから蓋取付ビス６８を挿入し、上記工具により蓋取付ビス６８を締め付けて、電装箱蓋６５を箱体５４に固定して取付ける。
【００４８】
従って、この変形例によれば、上記第一の実施の形態の効果（１）、（２）及び（３）に加え、次の効果（４）を奏する。
【００４９】
（４）電装箱３７の開口５８を閉鎖する電装箱蓋６５は、電装箱３７に対し相互に直交するいずれか一方向、またはこれらの両方向に対し傾斜する方向、つまり、電装箱蓋６５の正面部７４Ａ、底面部７４Ｂまたは傾斜面部７４Ｃのいずれか一方に直交する方向Ａ、Ｂ、Ｃから挿入される蓋取付ビス６８により、電装箱３７に装着可能に構成されたことから、蓋取付ビス６８を動作させる工具の最も操作させ易い方向から、蓋取付ビス６８を電装箱３７の箱体５４及び電装箱蓋６５に挿入することができるので、電装箱蓋６５の着脱を容易化できる。
【００５０】
［Ｂ］第二の実施の形態（図８、図９）
図８は、本発明に係るビルトイン型空気調和機の第二の実施の形態を適用したパネル仕様ビルトイン型空気調和機の部分斜視図である。図９は、本発明に係るビルトイン型空気調和機の第二の実施の形態を適用したダクト仕様ビルトイン型空気調和機を示す部分斜視図である。この第二の実施の形態において、前記第一の実施の形態と同様な部分は、同一の符号を付すことにより説明を省略する。
【００５１】
この第二の実施の形態のパネル仕様ビルトイン型空気調和機８０とダクト仕様ビルトイン型空気調和機９０に用いられる電装箱８１は、開口８３を有し、内部に制御基板（不図示）及び端子板５５を収納する箱本体８２と、開口８３を閉鎖する電装箱蓋８４とを有して構成される。
【００５２】
開口８３は、電装箱蓋８４の一側部に形成される。この箱本体８２における開口８３を跨ぐ天面８５及び底面８６に、支持ピン８７が植設される。また、箱本体８２には、開口８３を挟むよう側面８８、８９に外側取付フランジ９１、内側取付フランジ９２がそれぞれ固着されている。
【００５３】
このように構成された電装箱８１は、ユニット本体３５の取付開口６９に一部を挿通した状態で、支持ピン８７を介し水平方向に所定角度Ａ（約１８０度）の範囲で、ユニット本体３５に回転可能に枢支される。この時、最大回転角度位置では、外側取付フランジ９１がユニット本体３５の側板３８Ａの外面に、内側取付フランジ９２が同じく側板３８Ａの内面にそれぞれ当接する。
【００５４】
パネル仕様ビルトイン型空気調和機８０のユニット本体３５に上述の電装箱８１を取付ける場合には、図８に示すように、開口８３をユニット本体３５の内側に向けるように、電装箱８１を支持ピン８７を支点に回転させ、外側取付フランジ９１を側板３８Ａの外面に、内側取付フランジ９２を側板３８Ａの内面にそれぞれ当接させる。そして、外側取付フランジ９１及び内側取付フランジ９２を側板３８Ａに箱取付ビス７０を用いて固定し、電装箱８１をユニット本体３５に取付ける。工場出荷状態では、通常、この状態で電装箱８１がユニット本体３５に取付けられる。
【００５５】
ダクト仕様ビルトイン型空気調和機９０のユニット本体３５に上述の電装箱８１を取付ける場合には、図９に示すように、開口８３をユニット本体３５の外側に向けるように、電装箱８１を支持ピン８７を支点に約１８０度回転させ、外側取付フランジ９１を側板３８Ａの外面に、内側取付フランジ９２を側板３８Ａの内面にそれぞれ当接させる。そして、外側取付フランジ９１及び内側取付フランジ９２を側板３８Ａに箱取付ビス７０を用いて固定し、電装箱８１をユニット本体３５に取付ける。ビルトイン型空気調和機の据付現場で必要がある場合に、電装箱８１の取付け向きを上述のように変更して、パネル仕様ビルトイン型空気調和機８０をダクト仕様ビルトイン型空気調和機９０に仕様変更する。
【００５６】
従って、上記実施の形態によれば次の効果（５）〜（７）を奏する。
【００５７】
（５）電装箱８１は、開口８３を備えると共に、この開口８３を跨ぐ天面８５及び底面８６に支持ピン８７を有し、支持ピン８７を介しユニット本体３５に約１８０度の範囲で回転可能に枢支され、開口８３がユニット本体３５の内側または外側を向く位置で箱取付ビス７０を用いてこのユニット本体３５に固定して取付可能に構成されたことから、パネル仕様ビルトイン型空気調和機８０の場合には、開口８３がユニット本体３５の内側に向くように電装箱８１を回転させ、この電装箱８１をユニット本体３５に固定して取付け、ダクト仕様ビルトイン型空気調和機９０の場合には、開口８３がユニット本体３５の外側に向くように電装箱８１を回転させて、この電装箱８１をユニット本体３５に固定して取付ければよいので、パネル仕様ビルトイン型空気調和機８０とダクト仕様ビルトイン型空気調和機９０とで電装箱８１を共通部品化でき、パネル仕様ビルトイン型空気調和機８０とダクト仕様ビルトイン型空気調和機９０の共用化を実現できる。この結果、ビルトイン型空気調和機の機種数を削減して在庫管理を容易化できる。
【００５８】
（６）電装箱８１がパネル仕様ビルトイン型空気調和機８０とダクト仕様ビルトイン型空気調和機９０において共通部品化されたことから、電装箱８１の開口８３をユニット本体３５の内側に向けてパネル仕様ビルトイン型空気調和機８０として工場出荷し、据付現場でダクト仕様ビルトイン型空気調和機９０としたいときには、電装箱８１の開口８３をユニット本体３５の外側に向くように、電装箱８１を支持ピン８７周りに回転すればダクト仕様ビルトイン型空気調和機９０に仕様変更することができる。
【００５９】
（７）電装箱８１において、開口８３を挟む側面８８、８９にそれぞれ設けられた第一配線取入口６１、第二配線取入口６２のうち、パネル仕様ビルトイン型空気調和機８０の場合には、第一配線取入口６１に外部配線５７を、第二配線取入口６２に内部配線５６をそれぞれ挿通させ、また、ダクト仕様ビルトイン型空気調和機９０の場合には、第一配線取入口６１に内部配線５６を、第二配線取入口６２に外部配線５７をそれぞれ挿通させることにより、パネル仕様ビルトイン型空気調和機８０とダクト仕様ビルトイン型空気調和機９０に対する電装箱８１の共通部品化をより一層確実なものとすることができる。
【００６０】
［Ｃ］第三の実施の形態（図１０、図１１）
図１０は、本発明に係るビルトイン型空気調和機の第三の実施の形態を適用したパネル仕様ビルトイン型空気調和機であり、（Ａ）がその部分斜視図、（Ｂ）がその部分平面図である。図１１は、本発明に係るビルトイン型空気調和機の第三の実施の形態を適用したダクト仕様ビルトイン型空気調和機であり、（Ａ）がその部分斜視図、（Ｂ）がその部分平面図である。この第三の実施の形態において、前記第一の実施の形態と同様な部分は同一の符号を付すことにより説明を省略する。
【００６１】
この第三の実施の形態のパネル仕様ビルトイン型空気調和機１００とダクト仕様ビルトイン型空気調和機１１０に用いられる電装箱１０１は、開口１０３を有し、内部に制御基板（不図示）及び端子板５５を収納する箱本体１０２と、開口１０３を閉鎖する電装箱蓋１０４とを有して構成される。
【００６２】
箱本体１０２は三角柱形状であり、この一側面部に開口１０３が形成される。この箱本体１０２の相互に対向する天面１０５及び底面１０６に、支持ピン１０７が植設される。また、箱本体１０２には、開口１０３を挟む両側面１０８、１０９の開口１０３側側縁に外側取付フランジ１１１、内側取付フランジ１１２がそれぞれ固着されている。
【００６３】
このように構成された電装箱１０１は、ユニット本体３５の取付開口６９に挿通させた状態で、支持ピン１０７を介し水平方向に所定角度Ｂ（約９０度）の範囲で、ユニット本体３５に回転可能に枢支される。この時、最大回転角度位置では、外側取付フランジ１１１がユニット本体３５の側板３８Ａの外面に、内側取付フランジ１１２が同じく側板３８Ａの内面にそれぞれ当接する。
【００６４】
パネル仕様ビルトイン型空気調和機１００のユニット本体３５に上述の電装箱１０１を取付ける場合には、図１０に示すように、開口１０３をユニット本体３５の内側に向けるように電装箱１０１を支持ピン１０７を支点に回転させ、外側取付フランジ１１１を側板３８Ａの外面に、内側取付フランジ１１２を側板３８Ａの内面にそれぞれ当接させる。そして、外側取付フランジ１１１及び内側取付フランジ１１２を側板３８Ａに箱取付ビス７０を用いて固定し、電装箱１０１をユニット本体３５に取付ける。工場出荷状態では、通常この状態で、電装箱１０１がユニット本体３５に取付けられる。
【００６５】
ダクト仕様ビルトイン型空気調和機１１０のユニット本体３５に上述の電装箱１０１を取付ける場合には、図１１に示すように、開口１０３をユニット本体３５の外側に向けるように、電装箱１０１を支持ピン１０７を支点に約９０度回転させ、外側取付フランジ１１１を側板３８Ａの外面に、内側取付フランジ１１２を側板３８Ａの内面にそれぞれ当接させる。そして、外側取付フランジ１１１及び内側取付フランジ１１２を側板３８Ａに箱取付ビス７０を用いて固定し、電装箱１０１をユニット本体３５に取付ける。ビルトイン型空気調和機の据付現場で必要がある場合に、電装箱１０１の取付け向きを上述のように変更して、パネル仕様ビルトイン型空気調和機１００をダクト仕様ビルトイン型空気調和機１１０に仕様変更する。
【００６６】
従って、上記実施の形態によれば、次の効果（８）〜（１０）を奏する。
【００６７】
（８）電装箱１０１は三角形状であり、一側面に開口１０３を備え、相互に対向する天面１０５及び底面１０６に支持ピン１０７を有し、支持ピン１０７を介しユニット本体３５に約９０度の範囲で回転可能に枢支され、開口１０３がユニット本体３５の内側または外側を向く位置で、このユニット本体３５に固定して取付け可能に構成されたことから、パネル仕様ビルトイン型空気調和機１００の場合には、開口１０３がユニット本体３５の内側に向くように電装箱１０１を回転させ、この電装箱１０１をユニット本体３５に箱取付ビス７０を用いて取付け、ダクト仕様ビルトイン型空気調和機１１０の場合には、開口１０３がユニット本体３５の外側に向くように電装箱１０１を回転させて、この電装箱１０１をユニット本体３５に箱取付ビス７０を用いて取付ければよいので、パネル仕様ビルトイン型空気調和機１００とダクト仕様ビルトイン型空気調和機１１０とで電装箱１０１を共通部品化でき、パネル仕様ビルトイン型空気調和機１００とダクト仕様ビルトイン型空気調和機１１０の共用化を実現できる。この結果、ビルトイン型空気調和機の機種数を削減して、在庫管理を容易化できる。
【００６８】
（９）電装箱１０１がパネル仕様ビルトイン型空気調和機１００とダクト仕様ビルトイン型空気調和機１１０において共通部品化されたことから、電装箱１０１の開口１０３をユニット本体３５の内側に向けてパネル仕様ビルトイン型空気調和機１００として工場出荷し、据付現場でダクト仕様ビルトイン型空気調和機１１０としたいときには、電装箱１０１の開口１０３をユニット本体３５の外側に向くように、電装箱１０１を支持ピン１０７周りに回転させれば、ダクト仕様ビルトイン型空気調和機１１０に仕様変更することができる。
【００６９】
（１０）電装箱１０１において、開口１０３を挟む側面１０８、１０９にそれぞれ設けられた第一配線取入口６１、第二配線取入口６２のうち、パネル仕様ビルトイン型空気調和機１００とダクト仕様ビルトイン型空気調和機１１０の場合に、ともに、第一配線取入口６１に外部配線５７を、第二配線取入口６２に内部配線５６をそれぞれ挿通させることにより、パネル仕様ビルトイン型空気調和機１００とダクト仕様ビルトイン型空気調和機１１０に対する電装箱１０１の共通部品化を、より一層確実なものとすることができる。
【００７０】
以上、本発明を上記実施の形態に基づいて説明したが、本発明はこれに限定されるものではない。例えば、第一の実施の形態の変形例を、第二または第三の実施の形態に適用しても良い。
【００７１】
【発明の効果】
請求項１に記載の発明に係るビルトイン型空気調和機によれば、電装箱は、開口を備えると共に、この開口を跨ぐ開口位置にピンを有し、ピンを介しユニット本体に所定角度Ａの範囲で回転可能に枢支され、開口がユニット本体の内側または外側を向く位置で、このユニット本体に固定して取付け可能に構成されたことから、パネル仕様とダクト仕様のビルトイン型空気調和機における電装箱を共通部品化して、両ビルトイン型空気調和機の共用化を実現できる。
【００７３】
請求項２に記載の発明に係るビルトイン型空気調和機によれば、電装箱は三角柱形状であり、一側面に開口を備え、相互に対向する天面及び底面にピンを有し、ピンを介しユニット本体に所定角度Ｂの範囲で回転可能に枢支され、開口がユニット本体の内側または外側を向く位置で、このユニット本体に固定して取付け可能に構成されたことから、パネル仕様とダクト仕様のビルトイン型空気調和機における電装箱を共通部品化して、両ビルトイン型空気調和機の共用化を実現できる。
【図面の簡単な説明】
【図１】本発明に係るビルトイン型空気調和機の第一の実施の形態を示し、（Ａ）がパネル仕様ビルトイン型空気調和機、（Ｂ）がダクト仕様ビルトイン型空気調和機のそれぞれ側面図である。
【図２】図１（Ａ）のパネル仕様ビルトイン型空気調和機の一部を示す斜視図である。
【図３】図２の電装箱取付け状況を示す分解斜視図である。
【図４】図１（Ｂ）のダクト仕様ビルトイン型空気調和機の一部を示す斜視図である。
【図５】図４の電装箱取付け状況を示す分解斜視図である。
【図６】図２及び図４の電装箱の変形例を示す部分分解斜視図である。
【図７】図６の電装箱の部分側面図である。
【図８】本発明に係るビルトイン型空気調和機の第二の実施の形態を適用したパネル仕様ビルトイン型空気調和機を示す部分斜視図である。
【図９】本発明に係るビルトイン型空気調和機の第二の実施の形態を適用したダクト仕様ビルトイン型空気調和機を示す部分斜視図である。
【図１０】本発明に係るビルトイン型空気調和機の第三の実施の形態を適用したパネル仕様ビルトイン型空気調和機であり、（Ａ）がその部分斜視図、（Ｂ）がその部分平面図である。
【図１１】本発明に係るビルトイン型空気調和機の第三の実施の形態を適用したダクト仕様ビルトイン型空気調和機であり、（Ａ）がその部分斜視図、（Ｂ）がその部分平面図である。
【図１２】従来のビルトイン型空気調和機を示し、（Ａ）がパネル仕様ビルトイン型空気調和機、（Ｂ）がダクト仕様ビルトイン型空気調和機のそれぞれ一部を示す斜視図である。
【符号の説明】
３０  パネル仕様ビルトイン型空気調和機
３１  建屋
３２  天井
３４  天井空間
３５  ユニット本体
３６  吹出ダクト
３７  電装箱
４０  ダクト仕様ビルトイン型空気調和機
４９  天井パネル
５２  吸込ダクト
５４  箱体
５６  内部配線
５７  外部配線
５８  開口
６１  第一配線取込口
６２  第二配線取込口
６４  取付フランジ
６５  電装箱蓋
６８  蓋取付ビス（締結手段）
７０  箱取付ビス
７３Ｃ  傾斜縁
７４Ｃ  傾斜面部
８０  パネル仕様ビルトイン型空気調和機
８１  電装箱
８２  箱本体
８３  開口
８４  電装箱蓋
８５  天面
８６  底面
８７  支持ピン
９０  ダクト仕様ビルトイン型空気調和機
１００  パネル仕様ビルトイン型空気調和機
１０１  電装箱
１０２  箱本体
１０３  開口
１０４  電装箱蓋
１０５  天面
１０６  底面
１０７  支持ピン
１１０  ダクト仕様ビルトイン型空気調和機
Ａ  方向
Ｂ  方向
Ｃ  方向
【図１】
0003806536.tif 000002
【図２】
0003806536.tif 000003
【図３】
0003806536.tif 000004
【図４】
0003806536.tif 000005
【図５】
0003806536.tif 000006
【図６】
0003806536.tif 000007
【図７】
0003806536.tif 000008
【図８】
0003806536.tif 000009
【図９】
0003806536.tif 000010
【図１０】
0003806536.tif 000011
【図１１】
0003806536.tif 000012
【図１２】
0003806536.tif 000013